【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
モバイルデバイスによって動作可能なワイヤレス通信のための方法であって、
最高少なくとも最小のあらかじめ決定された帯域幅しきい値を占有する帯域幅の一部において一様に分布した少なくとも１組のリソースブロックを備えるアップリンクリソースブロック構成を決定することと、
前記少なくとも１組の前記リソースブロックにおいて送信を送ることと
を備える、方法。
【請求項２】
前記前記最小のあらかじめ決定された帯域幅しきい値が、基地局によってサービスされるすべてのモバイルデバイスについて同じである、請求項１に記載の方法。
【請求項３】
前記前記最小のあらかじめ決定された帯域幅しきい値が、ブロードキャストメッセージ中でシグナリングされる、請求項２に記載の方法。
【請求項４】
前記少なくとも１組のリソースブロックの各々が１つのサブフレーム上のＰＵＳＣＨ、ＰＵＣＣＨ、またはＰＲＡＣＨのうちの１つに割り当てられる、請求項１に記載の方法。
【請求項５】
前記送信を送ることが、複数のＯＦＤＭシンボル上の前記少なくとも１組の前記リソースブロックにおいてサウンド基準信号（ＳＲＳ）、チャネル利用ビーコン信号（ＣＵＢＳ）のうちの少なくとも１つを送ることを備える、請求項１に記載の方法。
【請求項６】
前記少なくとも１つのリソースブロックが、複数のモバイルデバイスに割り振られる直交するリソースブロックの組を備える、請求項１に記載の方法。
【請求項７】
前記少なくとも１つのリソースブロックが、直交するリソースブロックの組を備え、各組が複数のモバイルデバイスに割り当てられ、ＰＵＳＣＨが前記モバイルデバイスの中で空間多重化され、ＰＤＣＣＨ、ＳＲＳ、ＰＲＡＣＨのうちの少なくとも１つが前記モバイルデバイスの中で符号分割多重化される、請求項１に記載の方法。
【請求項８】
前記少なくとも１組の前記リソースブロックにおける送信のためにＳＲＳまたはＣＵＢＳのうちの１つの割当てを受信することをさらに備え、
ＳＲＳおよびＣＵＢＳのためのコードシーケンスが区分され、
複数のＵＥからのＣＵＢＳのためのコードシーケンスが直交していない
請求項１に記載の方法。
【請求項９】
ＰＲＡＣＨ送信またはＳＲＳのために確保された１組のリソースブロックにおいて前記ＰＲＡＣＨ送信またはＳＲＳのうちの少なくとも１つを送信することをさらに備える、請求項８に記載の方法。
【請求項１０】
前記チャネル帯域幅の前記端部におけるあらかじめ決定された１組のリソースブロック上に少なくとも第２のリソースブロックを備えるアップリンクリソースブロック構成を決定することと、
前記１組の前記リソースブロックのうちの前記少なくとも１つと、前記第２のリソースブロックのうちの１つとにおいて送信を送ることと
をさらに備える、請求項１に記載の方法。
【請求項１１】
前記あらかじめ決定された１組のリソースブロックが、ブロードキャストメッセージ中でシグナリングされ、
モバイルデバイスが、ＲＲＣ構成またはｅＰＤＣＣＨシグナリングに基づいて前記組における前記リソースブロックのうちの少なくとも１つにおいて送信するように構成される
請求項１０に記載の方法。
【請求項１２】
前記あらかじめ決定された１組のリソースブロックが、ユニキャストメッセージ中でシグナリングされ、
モバイルデバイスが、ｅＰＤＣＣＨシグナリングに基づいて前記組における前記リソースブロックのうちの少なくとも１つにおいて送信するように構成される
請求項１０に記載の方法。
【請求項１３】
少なくとも前記第２のリソースブロックについての前記あらかじめ決定された１組のリソースブロックが、複数のモバイルデバイス間で多重化される、請求項１０に記載の方法。
【請求項１４】
装置であって、
最高少なくとも最小のあらかじめ決定された帯域幅しきい値を占有する帯域幅の一部において一様に分布した少なくとも１組のリソースブロックを備えるアップリンクリソースブロック構成を決定するための手段と、
前記少なくとも１組の前記リソースブロックにおいて送信を送るための手段と
を備える、装置。
【請求項１５】
実行されたとき、コンピュータに、請求項１から１３のいずれかに記載の方法を実行させるためのプログラムコードを記憶したコンピュータ可読媒体を備える、コンピュータプログラム製品。
【手続補正２】
【補正対象書類名】明細書
【補正対象項目名】０１５７
【補正方法】変更
【補正の内容】
【０１５７】
[00184]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
以下に本願の出願当初の特許請求の範囲に記載された発明を付記する。
［Ｃ１］
モバイルデバイスによって動作可能なワイヤレス通信のための方法であって、
少なくとも最小のあらかじめ決定された帯域幅しきい値を占有する帯域幅の一部において一様に分布した少なくとも１組のリソースブロックを備えるアップリンクリソースブロック構成を決定することと、
前記少なくとも１組の前記リソースブロックにおいて送信を送ることと
を備える方法。
［Ｃ２］
前記前記最小のあらかじめ決定された帯域幅しきい値が、基地局によってサービスされるすべてのモバイルデバイスについて同じである、Ｃ１に記載の方法。
［Ｃ３］
前記前記最小のあらかじめ決定された帯域幅しきい値が、ブロードキャストメッセージ中でシグナリングされる、Ｃ２に記載の方法。
［Ｃ４］
前記少なくとも１組のリソースブロックの各々が１つのサブフレーム上のＰＵＳＣＨ、ＰＵＣＣＨ、またはＰＲＡＣＨのうちの１つに割り当てられる、Ｃ１に記載の方法。
［Ｃ５］
前記送信を送ることが、複数のＯＦＤＭシンボル上の前記少なくとも１組の前記リソースブロックにおいてサウンド基準信号（ＳＲＳ）、チャネル利用ビーコン信号（ＣＵＢＳ）のうちの少なくとも１つを送ることを備える、Ｃ１に記載の方法。
［Ｃ６］
前記少なくとも１つのリソースブロックが、複数のモバイルデバイスに割り振られる直交するリソースブロックの組を備える、Ｃ１に記載の方法。
［Ｃ７］
前記少なくとも１つのリソースブロックが、直交するリソースブロックの組を備え、各組が複数のモバイルデバイスに割り当てられ、ＰＵＳＣＨが前記モバイルデバイスの中で空間多重化され、ＰＤＣＣＨ、ＳＲＳ、ＰＲＡＣＨのうちの少なくとも１つが前記モバイルデバイスの中で符号分割多重化される、Ｃ１に記載の方法。
［Ｃ８］
前記少なくとも１組の前記リソースブロックにおける送信のためにＳＲＳまたはＣＵＢＳのうちの１つの割当てを受信することをさらに備え、
ＳＲＳおよびＣＵＢＳのためのコードシーケンスが区分され、
複数のＵＥからのＣＵＢＳのためのコードシーケンスが直交していない
Ｃ１に記載の方法。
［Ｃ９］
ＰＲＡＣＨ送信またはＳＲＳのために確保された１組のリソースブロックにおいて前記ＰＲＡＣＨ送信またはＳＲＳのうちの少なくとも１つを送信することをさらに備えるＣ８に記載の方法。
［Ｃ１０］
前記アップリンクリソースブロック構成が直交周波数分割多重化に基づく、Ｃ１に記載の方法。
［Ｃ１１］
装置であって、
少なくとも最小のあらかじめ決定された帯域幅しきい値を占有する帯域幅の一部において一様に分布した少なくとも１組のリソースブロックを備えるアップリンクリソースブロック構成を決定するための手段と、
前記少なくとも１組の前記リソースブロックにおいて送信を送るための手段と
を備える装置。
［Ｃ１２］
装置であって、
少なくとも最小のあらかじめ決定された帯域幅しきい値を占有する帯域幅の一部において一様に分布した少なくとも１組のリソースブロックを備えるアップリンクリソースブロック構成を決定するために構成された少なくとも１つのプロセッサと、
前記少なくとも１組の前記リソースブロックにおいて送信を送るために構成されたトランシーバと、
前記少なくとも１つのプロセッサに結合された、データを記憶するためのメモリと
を備える装置。
［Ｃ１３］
コンピュータプログラム製品であって、
少なくとも１つのコンピュータに、
少なくとも最小のあらかじめ決定された帯域幅しきい値を占有する帯域幅の一部において一様に分布した少なくとも１組のリソースブロックを備えるアップリンクリソースブロック構成を決定させ、
前記少なくとも１組の前記リソースブロックにおいて送信を送らせる
ためのコードを記憶するコンピュータ可読媒体
を備えるコンピュータプログラム製品。
［Ｃ１４］
モバイルデバイスによって動作可能なワイヤレス通信のための方法であって、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストすることと、ここにおいて、前記クリアチャネルが、しきい値未満のエネルギーレベルとして、またはＣＵＢＳ信号の検出なしとして定義される、
前記ＣＵＢＳ送信の後続の少なくとも１つのサブフレームにおいて連続送信することと  を備える方法。
［Ｃ１５］
前記ＣＣＡの機会が、ＯＦＤＭシンボル持続時間の一部分を占有し、
前記ＣＵＢＳ送信が、あらかじめ決定されたＯＦＤＭシンボル境界に揃えられる
Ｃ１４に記載の方法。
［Ｃ１６］
前記第１のＣＣＡの機会が複数の連続した機会のうちの１つであり、前記割り当てられたＣＣＡの機会がグループメンバーシップに基づく、Ｃ１５に記載の方法。
［Ｃ１７］
前記グループメンバーシップがＰＬＭＮメンバーシップである、Ｃ１６に記載の方法。
［Ｃ１８］
前記チャネル利用の機会が、多目的サブフレームのうちの少なくとも一部を備え、前記多目的サブフレームの残りが、ダウンリンク送信、ＣＵＢＳ送信、およびガード期間のために確保されている、Ｃ１４に記載の方法。
［Ｃ１９］
チャネル利用のための前記指示が割り当てられたＳＲＳに基づく、Ｃ１４に記載の方法。
［Ｃ２０］
装置であって、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストするための手段と、ここにおいて、前記クリアチャネルが、しきい値未満のエネルギーレベルとして、またはＣＵＢＳ信号の検出なしとして定義される、
前記ＣＵＢＳ送信の後続の少なくとも１つのサブフレームにおいて連続送信するための手段と
を備える装置。
［Ｃ２１］
装置であって、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストするために構成されたトランシーバと、ここにおいて、前記クリアチャネルが、しきい値未満のエネルギーレベルとして、またはＣＵＢＳ信号の検出なしとして定義される、および、前記ＣＵＢＳ送信の後続の少なくとも１つのサブフレームにおいて連続送信するために構成された、
前記少なくとも１つのプロセッサに結合された、データを記憶するためのメモリと
を備える装置。
［Ｃ２２］
コンピュータプログラム製品であって、
少なくとも１つのコンピュータに、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストさせ、ここにおいて、クリアチャネルが、しきい値未満のエネルギーレベルとして、またはＣＵＢＳ信号の検出なしとして定義される、
前記ＣＵＢＳ送信の後続の少なくとも１つのサブフレームにおいて連続送信させる
ためのコードを記憶するコンピュータ可読媒体
を備えるコンピュータプログラム製品。
［Ｃ２３］
モバイルデバイスによって動作可能なワイヤレス通信のための方法であって、
前記チャネル帯域幅の前記端部におけるあらかじめ決定された１組のリソースブロック上に少なくとも第１の組の動的にスケジュールされたリソースブロックと、少なくとも第２のリソースブロックとを備えるアップリンクリソースブロック構成を決定することと、前記リソースブロック構成が、少なくとも最小のあらかじめ決定された帯域幅しきい値を占有する、
前記第１の組における前記リソースブロックのうちの前記少なくとも１つと、前記第２の組における前記リソースブロックのうちの１つとにおいて送信を送ることと
を備える方法。
［Ｃ２４］
前記最小のあらかじめ決定された帯域幅しきい値が、基地局によってサービスされるすべてのモバイルデバイスについて同じである、Ｃ２３に記載の方法。
［Ｃ２５］
前記最小のあらかじめ決定された帯域幅しきい値が、ブロードキャストメッセージ中でシグナリングされる、Ｃ２４に記載の方法。
［Ｃ２６］
前記あらかじめ決定された１組のリソースブロックが、ブロードキャストメッセージ中でシグナリングされ、
モバイルデバイスが、ＲＲＣ構成または（ｅ）ＰＤＣＣＨシグナリングに基づいて前記組における前記リソースブロックのうちの少なくとも１つにおいて送信するように構成される
Ｃ２３に記載の方法。
［Ｃ２７］
前記あらかじめ決定された１組のリソースブロックが、ユニキャストメッセージ中でシグナリングされ、
モバイルデバイスが、（ｅ）ＰＤＣＣＨシグナリングに基づいて前記組における前記リソースブロックのうちの少なくとも１つにおいて送信するように構成される
Ｃ２３に記載の方法。
［Ｃ２８］
前記少なくとも１つのリソースブロックの各々がＰＵＳＣＨ、ＰＵＣＣＨ、またはＰＲＡＣＨのうちの１つに割り当てられる、Ｃ２３に記載の方法。
［Ｃ２９］
少なくとも前記第２のリソースブロックについての前記あらかじめ決定された１組のリソースブロックが、複数のモバイルデバイス間で多重化される、Ｃ２３に記載の方法。
［Ｃ３０］
複数のモバイルデバイス間の前記多重化が、符号分割多元接続に基づく、Ｃ２３に記載の方法。
［Ｃ３１］
装置であって、
前記チャネル帯域幅の前記端部におけるあらかじめ決定された１組のリソースブロック上に少なくとも第１の組の動的にスケジュールされたリソースブロックと、少なくとも第２のリソースブロックとを備えるアップリンクリソースブロック構成を決定するための手段と、前記リソースブロック構成が、少なくとも最小のあらかじめ決定された帯域幅しきい値を占有する、
前記第１の組における前記リソースブロックのうちの前記少なくとも１つと、前記第２の組における前記リソースブロックのうちの１つとにおいて送信を送るための手段と
を備える装置。
［Ｃ３２］
装置であって、
前記チャネル帯域幅の前記端部におけるあらかじめ決定された１組のリソースブロック上に少なくとも第１の組の動的にスケジュールされたリソースブロックと、少なくとも第２のリソースブロックとを備えるアップリンクリソースブロック構成を決定するために構成された少なくとも１つのプロセッサと、前記リソースブロック構成が、少なくとも最小のあらかじめ決定された帯域幅しきい値を占有する、
前記第１の組における前記リソースブロックのうちの前記少なくとも１つと、前記第２の組における前記リソースブロックのうちの１つとにおいて送信を送るために構成されたトランシーバと、
前記少なくとも１つのプロセッサに結合された、データを記憶するためのメモリと
を備える装置。
［Ｃ３３］
コンピュータプログラム製品であって、
少なくとも１つのコンピュータに、
前記チャネル帯域幅の前記端部におけるあらかじめ決定された１組のリソースブロック上に少なくとも第１の組の動的にスケジュールされたリソースブロックと、少なくとも第２のリソースブロックとを備えるアップリンクリソースブロック構成を決定させ、前記リソースブロック構成が、少なくとも最小のあらかじめ決定された帯域幅しきい値を占有する、
前記第１の組における前記リソースブロックのうちの前記少なくとも１つと、前記第２の組における前記リソースブロックのうちの１つとにおいて送信を送らせる
ためのコードを記憶するコンピュータ可読媒体
を備えるコンピュータプログラム製品。
［Ｃ３４］
モバイルデバイスによって動作可能なワイヤレス通信のための方法であって、
複数のモバイルデバイスに割り当てられた複数のチャネル利用リソースブロックを決定することと、前記割り当てられたものが、時分割多重化によって決定される、
第１のクリアチャネルアセスメント（ＣＣＡ）を実行することと、ここにおいて、前記ＣＣＡの機会が、ＯＦＤＭシンボル持続時間の一部分を占有する、
ＣＣＡが成功した場合、前記決定に基づいてチャネル使用ビーコン信号（ＣＵＢＳ）としてチャネル利用のための指示をブロードキャストすることと、ここにおいて、前記ＣＵＢＳ送信が、あらかじめ決定されたＯＦＤＭシンボル境界に揃えられる、
非連続送信上の送信のための許可を受信した場合、各非連続送信の前に少なくとも第２のＣＣＡを実行することと、
前記第２のＣＣＡが成功した場合、ＣＵＢＳを送信することなく前記スケジュールされた送信を送信することと
を備える方法。
［Ｃ３５］
前記第１のＣＣＡの機会、複数の連続した機会のうちの１つ、前記割り当てられたＣＣＡの機会がグループメンバーシップに基づく、Ｃ３４に記載の方法。
［Ｃ３６］
前記グループメンバーシップがＰＬＭＮである、Ｃ３５に記載の方法。
［Ｃ３７］
前記第２のＣＣＡの機会が単一の機会である、Ｃ３４に記載の方法。
［Ｃ３８］
装置であって、
複数のモバイルデバイスに割り当てられた複数のチャネル利用リソースブロックを決定するための手段と、前記割り当てられたものが、時分割多重化によって決定される、
第１のクリアチャネルアセスメント（ＣＣＡ）を実行するための手段と、ここにおいて、前記ＣＣＡの機会が、ＯＦＤＭシンボル持続時間の一部分を占有する、
ＣＣＡが成功した場合、前記決定に基づいてチャネル使用ビーコン信号（ＣＵＢＳ）としてチャネル利用のための指示をブロードキャストするための手段と、ここにおいて、前記ＣＵＢＳ送信が、あらかじめ決定されたＯＦＤＭシンボル境界に揃えられる、
非連続送信上の送信のための許可を受信した場合、各非連続送信の前に少なくとも第２のＣＣＡを実行するための手段と、
前記第２のＣＣＡが成功した場合、ＣＵＢＳを送信することなく、前記スケジュールされた送信を送信するための手段と
を備える装置。
［Ｃ３９］
装置であって、
複数のモバイルデバイスに割り当てられた複数のチャネル利用リソースブロックを決定するために構成され、前記割り当てられたものが、時分割多重化によって決定される、および
第１のクリアチャネルアセスメント（ＣＣＡ）を実行するために構成された少なくとも１つのプロセッサと、ここにおいて、前記ＣＣＡの機会が、ＯＦＤＭシンボル持続時間の一部分を占有する、
ＣＣＡが成功した場合、前記決定に基づいてチャネル使用ビーコン信号（ＣＵＢＳ）としてチャネル利用のための指示をブロードキャストするために構成され、ここにおいて、前記ＣＵＢＳ送信が、あらかじめ決定されたＯＦＤＭシンボル境界に揃えられる、
非連続送信上の送信のための許可を受信した場合、各非連続送信の前に少なくとも第２のＣＣＡを実行するために構成され、
前記第２のＣＣＡが成功した場合、ＣＵＢＳを送信することなく、前記スケジュールされた送信を送信するために構成された
トランシーバと、
前記少なくとも１つのプロセッサに結合された、データを記憶するためのメモリと
を備える装置。
［Ｃ４０］
コンピュータプログラム製品であって、
少なくとも１つのコンピュータに、
複数のモバイルデバイスに割り当てられた複数のチャネル利用リソースブロックを決定させ、前記割り当てられたものが、時分割多重化によって決定される、
第１のクリアチャネルアセスメント（ＣＣＡ）を実行させ、ここにおいて、前記ＣＣＡの機会が、ＯＦＤＭシンボル持続時間の一部分を占有する、
ＣＣＡが成功した場合、前記決定に基づいてチャネル使用ビーコン信号（ＣＵＢＳ）としてチャネル利用のための指示をブロードキャストさせ、ここにおいて、前記ＣＵＢＳ送信が、あらかじめ決定されたＯＦＤＭシンボル境界に揃えられる、
非連続送信上の送信のための許可を受信した場合、各非連続送信の前に少なくとも第２のＣＣＡを実行させ、
前記第２のＣＣＡが成功した場合、ＣＵＢＳを送信することなく、前記スケジュールされた送信を送信させる
ためのコードを記憶するコンピュータ可読媒体
を備えるコンピュータプログラム製品。
［Ｃ４１］
ワイヤレス通信の方法であって、
基地局によって、無認可キャリアにおける複数のアップリンクサブフレーム上の可変送信時間間隔（ＴＴＩ）送信のためのジョイント制御チャネルの送信のための１つまたは複数のダウンリンクサブフレームを選択することと、
前記基地局によって、前記ジョイント制御チャネルのサイズを設定することと、
前記基地局によって、前記ジョイント制御チャネルとの関連のためのアグリゲーションレベルを選択することと、
前記基地局によって、前記１つまたは複数の選択されたダウンリンクサブフレーム上で前記ジョイント制御チャネルを送信することと
を備える方法。
［Ｃ４２］
前記選択することが、
前記可変ＴＴＩ送信に関連付けられた第１のスケジュールされたアップリンクサブフレームより前に少なくとも４つのサブフレームを第１のダウンリンクサブフレームにおいて開始することを選択すること
を含む、Ｃ４１に記載の方法。
［Ｃ４３］
前記選択された１つまたは複数のダウンリンクサブフレームが、セル固有またはＵＥ固有のうちの１つである、Ｃ４１に記載の方法。
［Ｃ４４］
前記ジョイント制御チャネルがセル固有であり、前記方法が、
前記基地局によってサービスされるセルにある各ＵＥに関連付けられた前記ジョイント制御チャネルにおけるアップリンク許可を追加すること
をさらに備える、Ｃ４３に記載の方法。
［Ｃ４５］
前記ジョイント制御チャネルがＵＥ固有であり、前記方法が、
前記１つまたは複数の選択されたダウンリンクサブフレームのうちの１つを前記特定のＵＥに関連付けられたアップリンク許可のために前記特定のＵＥに割り当てること
をさらに備える、Ｃ４３に記載の方法。
［Ｃ４６］
前記サイズが、すべての利用可能なアップリンクサブフレームがアップリンク送信のためにスケジュールされることを前提とする固定の制御サイズである、Ｃ４１に記載の方法。
［Ｃ４７］
前記サイズが、前記可変ＴＴＩ送信のための１つまたは複数の利用可能なアップリンクサブフレームに従って選択される２つ以上の制御サイズを含む、Ｃ４１に記載の方法。
［Ｃ４８］
前記アグリゲーションレベルを前記選択することが、
前記可変ＴＴＩ送信のための利用可能なアップリンクサブフレームに応じて、複数のアグリゲーションレベルから前記アグリゲーションレベルを選択すること
を含む、Ｃ４１に記載の方法。
［Ｃ４９］
前記可変ＴＴＩ送信のための利用可能なアップリンクサブフレームに応じて、ダウンリンク制御チャネルのためのリソースセットサイズを選択すること、
をさらに備えるＣ４１に記載の方法。
［Ｃ５０］
前記基地局において、前記ジョイント制御チャネル内に含まれる制御情報を有する複数のＵＥのユーザ機器（ＵＥ）のための追加の制御情報を有する個々の制御チャネルを生成することと、
前記個々の制御チャネルを前記ＵＥに送信することと、ここにおいて、
前記個々の制御チャネル内に含まれる前記追加の制御情報が、前記ジョイント制御チャネルに含まれる前記ＵＥのための制御情報に取って代わる、
をさらに備えるＣ４１に記載の方法。
［Ｃ５１］
前記基地局によって、前記可変ＴＴＩ送信のために指定される前記複数のアップリンクサブフレームの各々を介して同じトランスポートブロックを送信することを、ユーザ機器（ＵＥ）のための前記ジョイント制御チャネルにおいて示すこと
をさらに備えるＣ４１に記載の方法。
［Ｃ５２］
前記同じトランスポートブロックが、アップリンク制御信号とアップリンクデータ信号とのうちの１つまたは複数を含む、Ｃ５１に記載の方法。
［Ｃ５３］
ワイヤレス通信のために構成された装置であって、
基地局によって、無認可キャリアにおける複数のアップリンクサブフレーム上の可変送信時間間隔（ＴＴＩ）送信のためのジョイント制御チャネルの送信のための１つまたは複数のダウンリンクサブフレームを選択するための手段と、
前記基地局によって、前記ジョイント制御チャネルのサイズを設定するための手段と、  前記基地局によって、前記ジョイント制御チャネルとの関連のためのアグリゲーションレベルを選択するための手段と、
前記基地局によって、前記１つまたは複数の選択されたダウンリンクサブフレーム上で前記ジョイント制御チャネルを送信するための手段と
を備える装置。
［Ｃ５４］
ワイヤレスネットワークにおけるワイヤレス通信のためのコンピュータプログラム製品であって、
プログラムコードを記録した非一時的コンピュータ可読媒体を備え、前記プログラムコードが、
コンピュータに、基地局によって、無認可キャリアにおける複数のアップリンクサブフレーム上の可変送信時間間隔（ＴＴＩ）送信のためのジョイント制御チャネルの送信のための１つまたは複数のダウンリンクサブフレームを選択させるためのプログラムコードと、
前記コンピュータに、前記基地局によって、前記ジョイント制御チャネルのサイズを設定させるためのプログラムコードと、
前記コンピュータに、前記基地局によって、前記ジョイント制御チャネルとの関連のためのアグリゲーションレベルを選択させるためのプログラムコードと、
前記コンピュータに、前記基地局によって、前記１つまたは複数の選択されたダウンリンクサブフレーム上で前記ジョイント制御チャネルを送信させるためのプログラムコードと
を含む、コンピュータプログラム製品。
［Ｃ５５］
ワイヤレス通信のために構成された装置であって、
少なくとも１つのプロセッサと、
前記少なくとも１つのプロセッサに結合されたメモリと、
を備え、前記少なくとも１つのプロセッサが、
基地局によって、無認可キャリアにおける複数のアップリンクサブフレーム上の可変送信時間間隔（ＴＴＩ）送信のためのジョイント制御チャネルの送信のための１つまたは複数のダウンリンクサブフレームを選択し、
前記基地局によって、前記ジョイント制御チャネルのサイズを設定し、
前記基地局によって、前記ジョイント制御チャネルとの関連のためのアグリゲーションレベルを選択し、
前記基地局によって、前記１つまたは複数の選択されたダウンリンクサブフレーム上で前記ジョイント制御チャネルを送信する
ように構成される、装置。
［Ｃ５６］
ワイヤレス通信の方法であって、
１つまたは複数のダウンリンクサブフレーム上で基地局からユーザ機器（ＵＥ）によって、無認可キャリアにおける複数のアップリンクサブフレーム上の可変送信時間間隔（ＴＴＩ）送信のためのジョイント制御チャネルを受信することと、
前記ＵＥによって、前記ジョイント制御チャネルに従って、前記複数のアップリンクサブフレーム上の前記可変ＴＴＩ送信を送信することと
を備える方法。
［Ｃ５７］
前記１つまたは複数のダウンリンクサブフレームが、前記可変ＴＴＩ送信に関連付けられた第１のスケジュールされたアップリンクサブフレームより前に少なくとも４つのサブフレームを第１のダウンリンクサブフレームにおいて開始する、Ｃ５６に記載の方法。
［Ｃ５８］
前記ＵＥのために識別されたアップリンク許可について前記１つまたは複数のダウンリンクサブフレーム上の前記ジョイント制御チャネルを監視すること
をさらに備えるＣ５６に記載の方法。
［Ｃ５９］
前記ＵＥを対象とするアップリンク許可を有する前記ジョイント制御チャネルについて前記ＵＥのために識別された前記１つまたは複数のダウンリンクサブフレームのうちの１つまたは複数を監視すること
をさらに備えるＣ５６に記載の方法。
［Ｃ６０］
前記ジョイント制御チャネルのサイズが、すべての利用可能なアップリンクサブフレームがアップリンク送信のためにスケジュールされることを前提とする固定の制御サイズである、Ｃ５６に記載の方法。
［Ｃ６１］
前記ジョイント制御チャネルの前記サイズが、前記可変ＴＴＩ送信のための１つまたは複数の利用可能なアップリンクサブフレームに従って選択される２つ以上の制御サイズのうちの１つを含む、Ｃ５６に記載の方法。
［Ｃ６２］
前記基地局から受信されたアグリゲーションレベルを使用して前記ジョイント制御チャネルからの制御情報をマッピングすることをさらに備え、ここにおいて、前記アグリゲーションレベルが、前記可変ＴＴＩ送信のための利用可能なアップリンクサブフレームに応じて選択された複数のアグリゲーションレベルのうちの１つである
Ｃ５６に記載の方法。
［Ｃ６３］
ダウンリンク制御チャネルのためのリソースセットサイズ指示を受信することをさらに備え、ここにおいて、前記リソースセットサイズが、前記可変ＴＴＩ送信のための利用可能なアップリンクサブフレームに応じて決まる
Ｃ５６に記載の方法。
［Ｃ６４］
前記基地局から前記ＵＥにおいて、前記ＵＥのための追加の制御情報を有する個々の制御チャネルを受信することをさらに備え、ここにおいて、前記ＵＥが、前記ジョイント制御チャネル内に含まれる以前の制御情報を有し、前記個々の制御チャネル内に含まれる前記追加の制御情報が、前記ジョイント制御チャネルに含まれる前記以前の制御情報に取って代わる
Ｃ５６に記載の方法。
［Ｃ６５］
前記ジョイント制御チャネルが前記ＵＥによって正常に受信されず、前記方法が、前記ジョイント制御チャネルが正常に受信されないとき、前記個々の制御チャネルを受信することに応答して、
エラーイベントを宣言することと、
成功したクリアチャネルアクセス（ＣＣＡ）が前記ＵＥによって検出されると、アップリンク信号のアップリンク送信を開始することと
のうちの１つをさらに備える、Ｃ６４に記載の方法。
［Ｃ６６］
前記アップリンク信号がチャネル使用ビーコン信号（ＣＵＢＳ）である、Ｃ６５に記載の方法。
［Ｃ６７］
前記ジョイント制御チャネルが、前記可変ＴＴＩ送信のために指定される前記複数のアップリンクサブフレームの各々を介して同じトランスポートブロックを送信する旨の前記ＵＥのための指示に関連付けられる、Ｃ５６に記載の方法。
［Ｃ６８］
前記同じトランスポートブロックがアップリンク制御信号とアップリンクデータ信号とのうちの１つまたは複数を含む、Ｃ６７に記載の方法。
［Ｃ６９］
ワイヤレス通信のために構成された装置であって、
１つまたは複数のダウンリンクサブフレーム上で基地局からユーザ機器（ＵＥ）によって、無認可キャリアにおける複数のアップリンクサブフレーム上の可変送信時間間隔（ＴＴＩ）送信のためのジョイント制御チャネルを受信するための手段と、
前記ＵＥによって、前記ジョイント制御チャネルに従って、前記複数のアップリンクサブフレーム上の前記可変ＴＴＩ送信を送信するための手段と
を備える装置。
［Ｃ７０］
ワイヤレスネットワークにおけるワイヤレス通信のためのコンピュータプログラム製品であって、
プログラムコードを記録した非一時的コンピュータ可読媒体を備え、前記プログラムコードが、
コンピュータに、１つまたは複数のダウンリンクサブフレーム上で基地局からユーザ機器（ＵＥ）によって、無認可キャリアにおける複数のアップリンクサブフレーム上の可変送信時間間隔（ＴＴＩ）送信のためのジョイント制御チャネルを受信させるためのプログラムコードと、
前記コンピュータに、前記ＵＥによって、前記ジョイント制御チャネルに従って、前記複数のアップリンクサブフレーム上の前記可変ＴＴＩ送信を送信させるためのプログラムコードと
を含む、コンピュータプログラム製品。
［Ｃ７１］
ワイヤレス通信のために構成された装置であって、
少なくとも１つのプロセッサと、
前記少なくとも１つのプロセッサに結合されたメモリと
を備え、前記少なくとも１つのプロセッサが、
１つまたは複数のダウンリンクサブフレーム上で基地局からユーザ機器（ＵＥ）によって、無認可キャリアにおける複数のアップリンクサブフレーム上の可変送信時間間隔（ＴＴＩ）送信のためのジョイント制御チャネルを受信し、
前記ＵＥによって、前記ジョイント制御チャネルに従って、前記複数のアップリンクサブフレーム上の前記可変ＴＴＩ送信を送信する
ように構成される、装置。
［Ｃ７２］
ワイヤレス通信の方法であって、
基地局によって、無認可キャリアにおける複数のアップリンクサブフレーム上の可変送信時間間隔（ＴＴＩ）送信のための１つまたは複数のユーザ機器（ＵＥ）に対する送信許可を示す制御情報を準備することと、ここにおいて、前記準備することが、
前記送信許可が適用される１つまたは複数のアップリンクコンポーネントキャリアを識別するクロスキャリアスケジューリングインジケータを提供することと、ここにおいて、前記クロスキャリアスケジューリングインジケータが、前記複数のアップリンクサブフレームの各々にわたって適用される、
前記送信許可のためのリソース割振りを提供することと、
前記複数のアップリンクサブフレームの各々についての変調およびコーディング方式ならびに冗長バージョンを提供することと、
新しいアップリンク送信のためにスケジュールされた前記複数のアップリンクサブフレームの各々についての新しいデータインジケータを提供することと、
前記可変ＴＴＩ送信のための送信電力制御信号を提供することと、
前記可変ＴＴＩ送信におけるレイヤ間の直交性を維持するための位相情報を提供することと、
前記基地局からのいくつかの予想される肯定応答を識別するダウンリンク割当て指示を提供することと、
１つまたは複数のチャネル状態要求および１つまたは複数のサウンディング基準信号を提供することとを含み、
前記基地局によって、前記制御情報を前記１つまたは複数のＵＥに送信することと
を備える方法。
［Ｃ７３］
前記リソース割振りが、前記複数のアップリンクサブフレームの各々、または前記複数のアップリンクサブフレームの関連するサブフレームのうちの１つに適用され、ここにおいて、追加のリソース割振りが、前記複数のアップリンクサブフレームのうちの他のものに適用される、Ｃ７２に記載の方法。
［Ｃ７４］
前記リソース割振りが、前記複数のアップリンクサブフレームの以前のサブフレームにおいて割り振られる前記リソースよりも、前記複数のアップリンクサブフレームの後のサブフレームにおいてより大きいサイズのリソースの割振りを提供する、Ｃ７２に記載の方法。
［Ｃ７５］
前記リソース割振りが、前記複数のアップリンクサブフレームのサブフレームにわたるホッピングを示す、Ｃ７２に記載の方法。
［Ｃ７６］
前記送信電力制御信号が、前記複数のアップリンクサブフレームのための単一の電力コマンド、または前記複数の電力コマンドの各々において示される前記電力コマンドが前記複数のアップリンクサブフレームの関連するサブフレームに対応する複数の電力コマンドのうちの１つを示す、Ｃ７２に記載の方法。
［Ｃ７７］
前記位相情報が、前記複数のアップリンクサブフレーム、または前記複数のアップリンクサブフレームの関連するサブフレームのうちの１つにわたって適用される、Ｃ７２に記載の方法。
［Ｃ７８］
前記複数のアップリンクサブフレームの第１のアップリンクサブフレームにおいて、前記複数のアップリンクサブフレームの各々において、前記複数のアップリンクサブフレームの関連するサブフレームにおいて、のうちの１つにおいて、前記１つまたは複数のチャネル状態要求、および１つまたは複数のサウンディング基準信号要求が、前記チャネル状態情報およびサウンディング基準信号の要求された送信を識別する、Ｃ７２に記載の方法。
［Ｃ７９］
ワイヤレス通信のために構成された装置であって、
基地局によって、無認可キャリアにおける複数のアップリンクサブフレーム上の可変送信時間間隔（ＴＴＩ）送信のための１つまたは複数のユーザ機器（ＵＥ）に対する送信許可を示す制御情報を準備するための手段と、ここにおいて、前記準備するための手段が、  前記送信許可が適用される１つまたは複数のアップリンクコンポーネントキャリアを識別するクロスキャリアスケジューリングインジケータを提供するための手段と、ここにおいて、前記クロスキャリアスケジューリングインジケータが、前記複数のアップリンクサブフレームの各々にわたって適用される、
前記送信許可のためのリソース割振りを提供するための手段と、
前記複数のアップリンクサブフレームの各々についての変調およびコーディング方式ならびに冗長バージョンを提供するための手段と、
新しいアップリンク送信のためにスケジュールされた前記複数のアップリンクサブフレームの各々についての新しいデータインジケータを提供するための手段と、
前記可変ＴＴＩ送信のための送信電力制御信号を提供するための手段と、
前記可変ＴＴＩ送信におけるレイヤ間の直交性を維持するための位相情報を提供するための手段と、
前記基地局からのいくつかの予想される肯定応答を識別するダウンリンク割当て指示を提供するための手段と、
１つまたは複数のチャネル状態要求および１つまたは複数のサウンディング基準信号を提供するための手段とを含み、
前記基地局によって、前記制御情報を前記１つまたは複数のＵＥに送信するための手段と
を備える装置。
［Ｃ８０］
ワイヤレスネットワークにおけるワイヤレス通信のためのコンピュータプログラム製品であって、
プログラムコードを記録した非一時的コンピュータ可読媒体を備え、前記プログラムコードが、
コンピュータに、基地局によって、無認可キャリアにおける複数のアップリンクサブフレーム上の可変送信時間間隔（ＴＴＩ）送信のための１つまたは複数のユーザ機器（ＵＥ）に対する送信許可を示す制御情報を準備させるためのプログラムコードと、ここにおいて、前記コンピュータに準備させるための前記プログラムコードが、前記コンピュータに、
前記送信許可が適用される１つまたは複数のアップリンクコンポーネントキャリアを識別するクロスキャリアスケジューリングインジケータを提供させ、ここにおいて、前記クロスキャリアスケジューリングインジケータが、前記複数のアップリンクサブフレームの各々にわたって適用される、
前記送信許可のためのリソース割振りを提供させ、
前記複数のアップリンクサブフレームの各々についての変調およびコーディング方式ならびに冗長バージョンを提供させ、
新しいアップリンク送信のためにスケジュールされた前記複数のアップリンクサブフレームの各々についての新しいデータインジケータを提供させ、
前記可変ＴＴＩ送信のための送信電力制御信号を提供させ、
前記可変ＴＴＩ送信におけるレイヤ間の直交性を維持するための位相情報を提供させ、  前記基地局からのいくつかの予想される肯定応答を識別するダウンリンク割当て指示を提供させ、
１つまたは複数のチャネル状態要求および１つまたは複数のサウンディング基準信号を提供させるためのプログラムコードを含む、
前記コンピュータに、前記基地局によって、前記制御情報を前記１つまたは複数のＵＥに送信させるためのプログラムコードと
を備える、コンピュータプログラム製品。
［Ｃ８１］
ワイヤレス通信のために構成された装置であって、
少なくとも１つのプロセッサと、
前記少なくとも１つのプロセッサに結合されたメモリと
を備え、前記少なくとも１つのプロセッサが、
基地局によって、無認可キャリアにおける複数のアップリンクサブフレーム上の可変送信時間間隔（ＴＴＩ）送信のための１つまたは複数のユーザ機器（ＵＥ）に対する送信許可を示す制御情報を準備し、ここにおいて、前記コンピュータに準備させるための前記プログラムコードが、前記コンピュータに、
前記送信許可が適用される１つまたは複数のアップリンクコンポーネントキャリアを識別するクロスキャリアスケジューリングインジケータを提供させ、ここにおいて、前記クロスキャリアスケジューリングインジケータが、前記複数のアップリンクサブフレームの各々にわたって適用される、
前記送信許可のためのリソース割振りを提供させ、
前記複数のアップリンクサブフレームの各々についての変調およびコーディング方式ならびに冗長バージョンを提供させ、
新しいアップリンク送信のためにスケジュールされた前記複数のアップリンクサブフレームの各々についての新しいデータインジケータを提供させ、
前記可変ＴＴＩ送信のための送信電力制御信号を提供させ、
前記可変ＴＴＩ送信におけるレイヤ間の直交性を維持するための位相情報を提供させ、  前記基地局からのいくつかの予想される肯定応答を識別するダウンリンク割当て指示を提供させ、
１つまたは複数のチャネル状態要求および１つまたは複数のサウンディング基準信号を提供させるためのプログラムコードを含む、
前記基地局によって、前記制御情報を前記１つまたは複数のＵＥに送信する
ように構成される、装置。
［Ｃ８２］
ワイヤレス通信の方法であって、
ユーザ機器（ＵＥ）によって、無認可キャリアにおける複数のアップリンクサブフレーム上の可変送信時間間隔（ＴＴＩ）送信のための基地局からの送信許可を示す制御情報を受信することと、
前記ＵＥによって、前記制御情報を使用して前記可変ＴＴＩ送信を準備することと、ここにおいて、前記制御情報が、
前記送信許可が適用される１つまたは複数のアップリンクコンポーネントキャリアを識別するクロスキャリアスケジューリングインジケータと、ここにおいて、前記クロスキャリアスケジューリングインジケータが、前記複数のアップリンクサブフレームの各々にわたって適用される、
前記送信許可のためのリソース割振りと、
前記複数のアップリンクサブフレームの各々についての変調およびコーディング方式ならびに冗長バージョンと、
新しいアップリンク送信のためにスケジュールされた前記複数のアップリンクサブフレームの各々についての新しいデータインジケータと、
前記可変ＴＴＩ送信のための送信電力制御信号と、
前記可変ＴＴＩ送信におけるレイヤ間の直交性を維持するための位相情報と、
前記基地局からのいくつかの予想される肯定応答を識別するダウンリンク割当て指示と、
１つまたは複数のチャネル状態要求および１つまたは複数のサウンディング基準信号とを含み、
前記ＵＥによって、前記制御情報に従って、前記複数のアップリンクサブフレーム上の前記可変ＴＴＩ送信を送信することと
を備える方法。
［Ｃ８３］
前記リソース割振りが、前記複数のアップリンクサブフレームの各々、または前記複数のアップリンクサブフレームの関連するサブフレームのうちの１つに適用され、ここにおいて、追加のリソース割振りが、前記複数のアップリンクサブフレームのうちの他のものに適用される、Ｃ８２に記載の方法。
［Ｃ８４］
前記リソース割振りが、前記複数のアップリンクサブフレームの以前のサブフレームにおいて割り振られる前記リソースよりも、前記複数のアップリンクサブフレームの後のサブフレームにおいてより大きいサイズのリソースの割振りを提供する、Ｃ８２に記載の方法。
［Ｃ８５］
前記リソース割振りが、前記複数のアップリンクサブフレームのサブフレームにわたるホッピングを示す、Ｃ８２に記載の方法。
［Ｃ８６］
前記送信電力制御信号が、前記複数のアップリンクサブフレームのための単一の電力コマンド、または前記複数の電力コマンドの各々において示される前記電力コマンドが前記複数のアップリンクサブフレームの関連するサブフレームに対応する複数の電力コマンドのうちの１つを示す、Ｃ８２に記載の方法。
［Ｃ８７］
前記位相情報が、前記複数のアップリンクサブフレーム、または前記複数のアップリンクサブフレームの関連するサブフレームのうちの１つにわたって適用される、Ｃ８２に記載の方法。
［Ｃ８８］
前記複数のアップリンクサブフレームの第１のアップリンクサブフレームにおいて、前記複数のアップリンクサブフレームの各々において、前記複数のアップリンクサブフレームの関連するサブフレームにおいて、のうちの１つにおいて、前記１つまたは複数のチャネル状態要求、および１つまたは複数のサウンディング基準信号要求が、前記チャネル状態情報およびサウンディング基準信号の要求された送信を識別する、Ｃ８２に記載の方法。
［Ｃ８９］
前記ＵＥによって、前記１つまたは複数のサウンディング基準信号要求が、サウンディング基準信号が前記複数のアップリンクサブフレームの１つにおいて送信されないことになっていることを示すとき、サブフレームの持続時間の間、物理アップリンクチャネルを送信すること
をさらに備えるＣ８８に記載の方法。
［Ｃ９０］
ワイヤレス通信のために構成された装置であって、
ユーザ機器（ＵＥ）によって、無認可キャリアにおける複数のアップリンクサブフレーム上の可変送信時間間隔（ＴＴＩ）送信のための基地局からの送信許可を示す制御情報を受信するための手段と、
前記ＵＥによって、前記制御情報を使用して前記可変ＴＴＩ送信を準備するための手段と、ここにおいて、前記制御情報が、
前記送信許可が適用される１つまたは複数のアップリンクコンポーネントキャリアを識別するクロスキャリアスケジューリングインジケータと、ここにおいて、前記クロスキャリアスケジューリングインジケータが、前記複数のアップリンクサブフレームの各々にわたって適用される、
前記送信許可のためのリソース割振りと、
前記複数のアップリンクサブフレームの各々についての変調およびコーディング方式ならびに冗長バージョンと、
新しいアップリンク送信のためにスケジュールされた前記複数のアップリンクサブフレームの各々についての新しいデータインジケータと、
前記可変ＴＴＩ送信のための送信電力制御信号と、
前記可変ＴＴＩ送信におけるレイヤ間の直交性を維持するための位相情報と、
前記基地局からのいくつかの予想される肯定応答を識別するダウンリンク割当て指示と、
１つまたは複数のチャネル状態要求および１つまたは複数のサウンディング基準信号とを含み、
前記ＵＥによって、前記制御情報に従って、前記複数のアップリンクサブフレーム上の前記可変ＴＴＩ送信を送信するための手段と
を備える装置。
［Ｃ９１］
ワイヤレスネットワークにおけるワイヤレス通信のためのコンピュータプログラム製品であって、
プログラムコードを記録した非一時的コンピュータ可読媒体を備え、前記プログラムコードが、
コンピュータに、ユーザ機器（ＵＥ）によって、無認可キャリアにおける複数のアップリンクサブフレーム上の可変送信時間間隔（ＴＴＩ）送信のための基地局からの送信許可を示す制御情報を受信させるためのプログラムコードと、
前記コンピュータに、前記ＵＥによって、前記制御情報を使用して前記可変ＴＴＩ送信を準備させるためのプログラムコードと、ここにおいて、前記制御情報が、
前記送信許可が適用される１つまたは複数のアップリンクコンポーネントキャリアを識別するクロスキャリアスケジューリングインジケータと、ここにおいて、前記クロスキャリアスケジューリングインジケータが、前記複数のアップリンクサブフレームの各々にわたって適用される、
前記送信許可のためのリソース割振りと、
前記複数のアップリンクサブフレームの各々についての変調およびコーディング方式ならびに冗長バージョンと、
新しいアップリンク送信のためにスケジュールされた前記複数のアップリンクサブフレームの各々についての新しいデータインジケータと、
前記可変ＴＴＩ送信のための送信電力制御信号と、
前記可変ＴＴＩ送信におけるレイヤ間の直交性を維持するための位相情報と、
前記基地局からのいくつかの予想される肯定応答を識別するダウンリンク割当て指示と、
１つまたは複数のチャネル状態要求および１つまたは複数のサウンディング基準信号とを含み、
前記コンピュータに、前記ＵＥによって、前記制御情報に従って、前記複数のアップリンクサブフレーム上の前記可変ＴＴＩ送信を送信させるためのプログラムコードと
を含む、コンピュータプログラム製品。
［Ｃ９２］
ワイヤレス通信のために構成された装置であって、
少なくとも１つのプロセッサと、
前記少なくとも１つのプロセッサに結合されたメモリと
を備え、前記少なくとも１つのプロセッサが、
ユーザ機器（ＵＥ）によって、無認可キャリアにおける複数のアップリンクサブフレーム上の可変送信時間間隔（ＴＴＩ）送信のための基地局からの送信許可を示す制御情報を受信し、
前記ＵＥによって、前記制御情報を使用して前記可変ＴＴＩ送信を準備し、ここにおいて、前記制御情報が、
前記送信許可が適用される１つまたは複数のアップリンクコンポーネントキャリアを識別するクロスキャリアスケジューリングインジケータと、ここにおいて、前記クロスキャリアスケジューリングインジケータが、前記複数のアップリンクサブフレームの各々にわたって適用される、
前記送信許可のためのリソース割振りと、
前記複数のアップリンクサブフレームの各々についての変調およびコーディング方式ならびに冗長バージョンと、
新しいアップリンク送信のためにスケジュールされた前記複数のアップリンクサブフレームの各々についての新しいデータインジケータと、
前記可変ＴＴＩ送信のための送信電力制御信号と、
前記可変ＴＴＩ送信におけるレイヤ間の直交性を維持するための位相情報と、
前記基地局からのいくつかの予想される肯定応答を識別するダウンリンク割当て指示と、
１つまたは複数のチャネル状態要求および１つまたは複数のサウンディング基準信号とを含み、
前記ＵＥによって、前記制御情報に従って、前記複数のアップリンクサブフレーム上の前記可変ＴＴＩ送信を送信する
ように構成される、装置。